(57)【要約】【課題】  苗箱カゴの出し入れや、空の苗箱の落下防止操作を前後両側から可能にする。【解決手段】  苗移植機１０の予備苗台１は、苗箱カゴＣが前後移動しないように係止して載置可能且つ係止を解除して苗箱カゴＣが前後両側から取り出し可能に構成されたフレーム部４を備えるとともに、空の苗箱Ｎが載置されたときにそれがフレーム部４の前側から落下するのを防止する苗箱落下防止手段２を備える。苗箱落下防止手段２は、前後方向に延びる回動軸２１と、回動軸２１の前後の端部にそれぞれ設けられている落下防止部材２３及び操作レバー２２と、落下防止部材２３の回動位置を切替可能に構成された位置切替手段２５とを備えている。位置切替手段２５は、落下防止部材２３がフレーム部４の前側を遮る落下防止位置Ｐ１と、遮らない退避位置Ｐ２との間で切替操作が可能、且つ、操作レバー２２又は落下防止部材２３のどちらを用いても前記操作が可能に構成されている。【選択図】      図６
2016144423.tif 000002
【特許請求の範囲】
【請求項１】
苗が育生された複数の苗箱を収容可能な苗箱カゴ、又は苗が育生された苗箱を載置可能に、且つ、該苗箱カゴ又は該苗箱に代えて１又は２以上の空の苗箱を載置可能に構成されている苗移植機の予備苗台であって、
前記苗箱カゴ又は前記苗箱を係脱可能に係止する係止手段を有し、該苗箱カゴ又は該苗箱が前後移動しないように係止した状態で載置可能、且つ、前記係止手段による係止を解除すると、該苗箱カゴ又は該苗箱が前側及び後側から取り出し可能に構成されたフレーム部を備えるとともに、
複数の空の苗箱が載置されたときに、該複数の空の苗箱のうち上側のものが前記フレーム部の前側から落下するのを防止するための苗箱落下防止手段を備えており、
前記苗箱落下防止手段は、略前後方向に延び、前記フレーム部に対して軸廻りに回動可能に支持されている回動軸と、
該回動軸の後端部に設けられている操作レバーと、
該回動軸の前端部に設けられ、該回動軸の径方向に延設されている落下防止部材と、
前記落下防止部材の回動位置を切替可能に構成された位置切替手段とを備え、
前記位置切替手段は、前記落下防止部材が前記フレーム部の前側を遮る落下防止位置と、該フレーム部の前側を遮らない退避位置との少なくとも２位置の間で切り替える操作が可能に構成されているとともに、前記操作レバー又は前記落下防止部材のどちらを用いても前記操作が可能に構成されている苗移植機の予備苗台。
【請求項２】
前記位置切替手段は、
前記回動軸を、その軸長方向にスライド可能に支持するスライド支持手段と、
前記回動軸及び前記フレーム部に相対的に設けられた係合手段及び被係合手段とを備え、
前記落下防止位置及び前記退避位置のそれぞれにおいて、前記回動軸をその軸長方向にスライドさせると、そのスライド方向に応じて前記係合手段が前記被係合手段に対して係脱可能になっており、前記係合手段及び前記被係合手段の係合により前記回動軸の回動を阻止するように構成されている請求項１記載の苗移植機の予備苗台。
【発明の詳細な説明】
【技術分野】
【０００１】
本発明は、苗が育生された複数の苗箱を収容可能な苗箱カゴ、又は苗が育生された苗箱を載置可能、且つ、該苗箱カゴ又は該苗箱に代えて１又は２以上の空の苗箱を載置可能に構成された苗移植機の予備苗台に関するものである。
【背景技術】
【０００２】
第一の従来の予備苗台としては、特許文献１に記載された苗移植機の予備苗台を例示する。図９に示すように、この苗移植機１００は、乗用型に構成さており、機体１０１の前側に上下方向に２段の予備苗台１０２を搭載している。各予備苗台１０２は、苗が育生された複数の苗箱Ｎを収容可能な苗箱カゴＣを載置可能になっている。苗箱カゴＣ内の苗箱Ｎが無くなった際は、苗箱カゴＣごと交換可能になっている。
【０００３】
また、第二の従来の予備苗台として、特許文献２に記載された移植機の予備苗台を例示する。この移植機は、走行車両の機体左右側部に、予備苗台を上下方向に多段式に複数備えている。上下方向に並んだ複数の予備苗台は、それぞれの前後方向の略中央が機体の側部に配設された支持ポールに支持されている。複数の予備苗台のうち最上段の予備苗台の下部に、苗トレイ押さえ手段が配置されている。苗トレイ押さえ手段は、基端部が前記支持ポールの上端部に接続された取り付け棒に回動可能に取り付けられるとともに、先端部が弾性部材により下方に向かって付勢されている。これにより、苗トレイ押さえ手段の取り付けられた予備苗台の下の予備苗台の上に空の苗トレイを載置するときに、その苗トレイを苗トレイ押さえ手段により上から押圧して保持するようにしている。
【先行技術文献】
【特許文献】
【０００４】
【特許文献１】特開２００８−１１８５１号公報
【特許文献２】特開２００３−７９２１４号公報
【発明の概要】
【発明が解決しようとする課題】
【０００５】
ところで、特許文献１の予備苗台１０２では、植え付けが終了した空の苗箱Ｎを、もとの苗箱カゴＣに入れることも可能であるが、そうすると、苗箱カゴＣごと交換した後で、苗箱カゴＣから空の苗箱Ｎを一つ一つ取り出す手間が掛かる。そのため、そのような手間を省くために、空になった苗箱カゴＣを予備苗台１０２から取り外し、その予備苗台１０２の上に複数の空の苗箱Ｎを段積しておき、それを後で一度に回収するという使い方がなされている。しかし、この予備苗台１０２は苗箱カゴＣを載置するために構成されていることもあり、前側が大きく開口しており、複数の空の苗箱Ｎを段積みすると、走行中の振動や風等で上の方の空の苗箱Ｎが前側から落下することがある。それを防止するために、予備苗台１０２の前側に苗箱Ｎの落下防止手段（例えば、予備苗台１０２の前側に落下防止バンドを張設する等の手段）を設ける必要があり、該落下防止手段を設けたままでは予備苗台１０２からの苗箱カゴＣや空の苗箱Ｎの出し入れが、予備苗台１０２の後側からに限定されてしまう。そのため、苗箱カゴＣや空の苗箱Ｎの出し入れ時には、その出し入れ方向へ予備苗台１０２の後側を向けるように、予備苗台１０２を旋回させる必要があり、作業性が低下するという課題がある。
【０００６】
また、特許文献２の前記苗トレイ押さえ手段は、予備苗台同士の間であって、予備苗台の前後方向の略中央に配設された支持ポールに設けられているので、予備苗台の前方からの操作及び後方からの操作のいずれも予備苗台の間に手を伸ばして操作しなければならないし、苗トレイを載置したり取り出したりする度に前記苗トレイ押さえ手段を持ち上げる必要があり、操作性が良くないという課題がある。
【課題を解決するための手段】
【０００７】
前記課題を解決するために、本発明の苗移植機の予備苗台は、
苗が育生された複数の苗箱を収容可能な苗箱カゴ、又は苗が育生された苗箱を載置可能に、且つ、該苗箱カゴ又は該苗箱に代えて１又は２以上の空の苗箱を載置可能に構成されている苗移植機の予備苗台であって、
前記苗箱カゴ又は前記苗箱を係脱可能に係止する係止手段を有し、該苗箱カゴ又は該苗箱が前後移動しないように係止した状態で載置可能、且つ、前記係止手段による係止を解除すると、該苗箱カゴ又は該苗箱が前側及び後側から取り出し可能に構成されたフレーム部を備えるとともに、
複数の空の苗箱が載置されたときに、該複数の空の苗箱のうち上側のものが前記フレーム部の前側から落下するのを防止するための苗箱落下防止手段を備えており、
前記苗箱落下防止手段は、略前後方向に延び、前記フレーム部に対して軸廻りに回動可能に支持されている回動軸と、
該回動軸の後端部に設けられている操作レバーと、
該回動軸の前端部に設けられ、該回動軸の径方向に延設されている落下防止部材と、
前記落下防止部材の回動位置を切替可能に構成された位置切替手段とを備え、
前記位置切替手段は、前記落下防止部材が前記フレーム部の前側を遮る落下防止位置と、該フレーム部の前側を遮らない退避位置との少なくとも２位置の間で切り替える操作が可能に構成されているとともに、前記操作レバー又は前記落下防止部材のどちらを用いても前記操作が可能に構成されている。
【０００８】
この構成によれば、前記苗箱落下防止手段を備えているので、空の苗箱を載置するときは、前記落下防止部材を前記落下防止位置に切り替えることにより、前記フレーム部の前側から該空の苗箱が落下するのを防止することができる。また、前記落下防止部材を前記退避位置に切り替えることにより、前記予備苗台の前後２方向から前記苗箱カゴ又は前記苗箱を出し入れすることができる。そのため、前記予備苗台の向きを変更する必要性を大幅に低減することができる。また、前記位置切替手段は、前記操作レバー又は前記落下防止部材のどちらを用いても前記操作が可能に構成されているので、操作性が良い。
【０００９】
本発明の苗移植機の予備苗台としては、
前記位置切替手段は、
前記回動軸を、その軸長方向にスライド可能に支持するスライド支持手段と、
前記回動軸及び前記フレーム部に相対的に設けられた係合手段及び被係合手段とを備え、
前記落下防止位置及び前記退避位置のそれぞれにおいて、前記回動軸をその軸長方向にスライドさせると、そのスライド方向に応じて前記係合手段が前記被係合手段に対して係脱可能になっており、前記係合手段及び前記被係合手段の係合により前記回動軸の回動を阻止するように構成されている態様を例示する。
【００１０】
「前記回動軸及び前記フレーム部に相対的に設けられた係合手段及び被係合手段」とは、前記回動軸に前記係合手段又は前記被係合手段のいずれか一方が設けられるとともに、同他方が前記フレーム部に設けられることを意味する。前記係合手段としては、前記回動軸の軸長方向と平行に延びる係合ピンとすることを例示する。前記被係合手段としては、前記回動軸をその軸長方向にスライドさせると前記係合ピンが係入する被係合穴とすることを例示する。
【００１１】
この構成によれば、簡単な構成により、前記位置切替手段を実現することができる。
【発明の効果】
【００１２】
本発明に係る苗移植機の予備苗台によれば、その前後両側から、苗箱カゴ又は苗箱を出し入れしたり、空の苗箱の落下を防止する苗箱落下防止手段の操作をしたりすることができるという優れた効果を奏する。
【図面の簡単な説明】
【００１３】
【図１】本発明を具体化した一実施形態に係る予備苗台を備えた苗移植機の側面図である。
【図２】同予備苗台の正面図である。
【図３】同予備苗台の平面図である。
【図４】図３のＩＶ−ＩＶ断面図である。
【図５】同予備苗台の正面拡大図である。
【図６】同予備苗台の背面の斜視図である。
【図７】同予備苗台の使用状態の側面図である。
【図８】同予備苗台の使用状態の正面図である。
【図９】従来の予備苗台を備えた苗移植機の前部の側面図である。
【発明を実施するための形態】
【００１４】
図１〜図８は本発明を具体化した一実施形態の苗移植機１０の予備苗台１を示しており、各図において、矢印Ｆは予備苗台１の前側を指し示している。図１〜図３に示すように、この苗移植機１０は、乗用型であり、走行車輪としての左右一対の前輪１１及び左右一対の後輪１２と、該走行車輪により圃場を走行可能に支持された機体１３と、該機体１３の後部に設けられた苗移植装置１４とを備えている。機体１３の前部には操縦ハンドル等を含む操縦装置１５が設けられ、該操縦装置１５の後側には運転席１６が設けられている。機体１３の両側部には軸受部１７が設けられ、該軸受部１７に略垂直軸廻りに回動可能に支持された支柱１８の上端部に予備苗台支持フレーム１９が設けられている。各予備苗台支持フレーム１９には、上下左右方向に複数（本例では、上下方向に２段、左右方向に３列）の予備苗台１が配設されている。各予備苗台１は、苗が育生された複数の苗箱Ｎを収容可能な苗箱カゴＣを載置可能に、且つ、該苗箱カゴＣに代えて１又は２以上の空の苗箱Ｎを載置可能に構成されている。本例では、上段における左右両側の予備苗台１（以下、「特定の予備苗台１」ともいう。）に後述する苗箱落下防止手段２が設けられており、以下では、主に、この苗箱落下防止手段２が設けられた予備苗台１について説明する。
【００１５】
苗箱カゴＣは、図７及び図８に示すように、棒材を組み合わせてなっており、長方形状の開口枠Ｃａと、該開口枠Ｃａの内側において、複数（本例では４枚）の苗箱Ｎを上下方向に互いに間隔を置いて収容する仕切枠Ｃｂとを備えている。空になった苗箱カゴＣ同士は、一方の苗箱カゴＣの開口枠Ｃａの内側に、他方の苗箱カゴＣの仕切枠Ｃｂを嵌め込むことにより、コンパクトに重ねることができるように構成されている。
【００１６】
本例の苗箱Ｎは、図７及び図８に示すように、碁盤目状に育苗ポットＮａが設けられている。空になった苗箱Ｎは、その育苗ポットＮａ同士を嵌合させて上下に段積が可能になっている。
【００１７】
予備苗台１は、図１〜図６に示すように、苗箱カゴＣ又は苗箱Ｎを係脱可能に係止する係止手段３を有し、該苗箱カゴＣ又は該苗箱Ｎが前後移動しないように係止した状態で載置可能、且つ、係止手段３による係止を解除すると、該苗箱カゴＣ又は該苗箱Ｎが前側及び後側から取り出し可能に構成されたフレーム部４を備えている。さらに、特定の予備苗台１は、複数の空の苗箱Ｎが載置されたときに、該複数の空の苗箱Ｎのうち上側のものがフレーム部４の前側から落下するのを防止するための苗箱落下防止手段２を備えている。
【００１８】
フレーム部４は、後側に対し前側が相対的に下がった傾斜姿勢で苗箱カゴＣ又は苗箱Ｎの底面側を支持する下フレーム５と、該下フレーム５の左右両側に設けられ、苗箱カゴＣ又は苗箱Ｎの両側面側をそれぞれ支持する側フレーム６とを備えている。このように、予備苗台１は、前下がりの傾斜姿勢により、苗箱カゴＣ又は苗箱Ｎを支持するように構成されているので、空の苗箱Ｎを２段以上積み上げた場合に、上側の苗箱Ｎが落下する方向は前方に限定されることになる。
【００１９】
下フレーム５は、左右方向に延びる前後一対の横フレーム片５ａと、該一対の横フレーム片５ａにそれぞれ前後が支持された左右一対のガイドフレーム片５ｂとを備えている。ガイドフレーム片５ｂは断面Ｌ字型に形成されており、苗箱カゴＣ又は苗箱Ｎを、その左右における側部及び下部を支持するとともに、前後方向へスライド可能にガイドするように構成されている。
【００２０】
側フレーム６は、上下方向に延びる前後一対の縦フレーム片６ａを備えている。
【００２１】
係止手段３は、下フレーム５の前側に設けられた回転ロール３ａと、同後側に設けられた係止片３ｂを備えている。回転ロール３ａは、その軸が左右方向に延設されており、左右の側フレーム６からそれぞれ前方に延設されたアーム片３ｃの先端部に対し、回転自在に支持されている。この回転ロール３ａにより、苗箱カゴＣの前側の下端部を係止するようになっている。さらに、予備苗台１の前側から苗箱カゴＣ又は空の苗箱Ｎを出し入れするときに、該苗箱カゴＣ又は空の苗箱Ｎをこの回転ロールに載せることにより、スムーズに出し入れすることができるようになっている。係止片３ｂは、下フレームの後側に設けられ、その略Ｖ字状に形成された凹部に苗箱カゴＣの開口枠Ｃａの下端部を係止することにより、該苗箱カゴＣの前後方向への移動を防止するようになっている。
【００２２】
苗箱落下防止手段２は、図４〜図６に示すように、回動軸２１、操作レバー２２、落下防止部材２３、支持片２４及び位置切替手段２５を備えている。
【００２３】
回動軸２１は、下フレーム５の前記傾斜に略沿って前後方向に延び、下フレーム５に対して軸廻りに回動可能に支持されている。
【００２４】
操作レバー２２は、該回動軸２１の後端部に設けられており、該回動軸２１の径方向に延設されている。
【００２５】
落下防止部材２３は、該回動軸２１の前端部に設けられ、該回動軸２１の径方向に延設されている。
【００２６】
支持片２４は、下フレーム５の前側に設けられ、後述する退避位置Ｐ２にあるときの落下防止部材２３の先端部を支持するように構成されている。
【００２７】
位置切替手段２５は、回動軸２１を、その軸長方向にスライド可能に支持するスライド支持手段２６と、回動軸２１に設けられ、回動軸２１の軸長方向と平行に延びる係合手段としての係合ピン２７と、下フレーム５に設けられた一対の被係合手段としての被係合穴２８とを備えており、落下防止位置Ｐ１及び退避位置Ｐ２のそれぞれにおいて、回動軸２１をその軸長方向にスライドさせると、そのスライド方向に応じて係合ピン２７が被係合穴２８に対して係脱可能になっており、係合ピン２７及び被係合穴２８の係合により回動軸２１の回動を阻止するように構成されており、これにより、落下防止部材２３の回動位置を切替可能になっているとともに、操作レバー２２又は落下防止部材２３のどちらを用いても前記操作が可能に構成されている。
【００２８】
次に、本例の予備苗台１の使用方法について説明する。ここで、使用の開始前は、すべての予備苗台１には、苗箱カゴＣが載置されており、各苗箱カゴＣには、苗が育生された苗箱Ｎが収容されており、各苗箱落下防止手段２の落下防止部材２３は、退避位置Ｐ２に設定されているものとする。さて、苗移植機１０を作動させると、苗箱落下防止手段２が設けられたいずれかの特定の予備苗台１（以下、「空の苗箱用の予備苗台１」という。）の苗箱カゴＣから苗箱Ｎを優先的に使用し、苗箱カゴＣを空にする。次に他の一箇所の予備苗台１の苗箱カゴＣから優先的に苗箱Ｎを使用し、その苗箱カゴＣを空にし、その苗箱カゴＣ内に、空の苗箱用の予備苗台１の苗箱カゴＣを嵌め込むように入れる。それとともに、空の苗箱用の予備苗台１の落下防止部材を落下防止位置Ｐ１に設定する。すると、空の苗箱用の予備苗台１に空の苗箱Ｎが載置可能になるので、その後は、図７及び図８に示すように、苗移植機１０により苗が植え付けられることにより空になった苗箱Ｎを順次、空の苗箱用の予備苗台１に積み上げる。
【００２９】
以上のように構成された本例の苗移植機１０の予備苗台１によれば、苗箱落下防止手段２を備えているので、空の苗箱Ｎを載置するときは、落下防止部材２３を落下防止位置Ｐ１に切り替えることにより、フレーム部４の前側から該空の苗箱Ｎが落下するのを防止することができる。また、落下防止部材２３を退避位置Ｐ２に切り替えることにより、予備苗台１の前後２方向から苗箱カゴＣ又は苗箱Ｎを出し入れすることができる。そのため、予備苗台１の向きを変更する必要性を大幅に低減することができる。また、位置切替手段２５は、操作レバー２２又は落下防止部材２３のどちらを用いても前記操作が可能に構成されているので、操作性が良い。
【００３０】
また、位置切替手段２５は、スライド支持手段２６、係合ピン２７及び被係合穴２８を備える簡単な構成により実現することができる。
【００３１】
なお、本発明は前記実施形態に限定されるものではなく、例えば以下のように、発明の趣旨から逸脱しない範囲で適宜変更して具体化することもできる。
（１）苗箱落下防止手段２は、本例では、特定の２箇所に設けられているが、これは例示であって、設ける箇所を適宜変更したり、設ける箇所を適宜増減したりしてもよい。
（２）苗箱落下防止手段２を任意の予備苗台１に対し着脱可能に構成すること。
（３）予備苗台１の前後を入れ替えて構成すること。
（４）位置切替手段２５の機構や各部の形状を適宜変更すること。
（５）苗箱カゴＣを用いずに苗箱Ｎを直接搭載可能に構成された予備苗台に対し、本発明を適用すること。すなわち、苗が育生された苗箱Ｎを載置可能、且つ、該苗箱Ｎに代えて１又は２以上の空の苗箱Ｎを載置可能に構成された苗移植機の予備苗台であって、
前記苗箱Ｎを係脱可能に係止する係止手段を有し、該苗箱Ｎが前後移動しないように係止した状態で載置可能に、且つ、前記係止手段による係止を解除すると、該苗箱Ｎが前側及び後側から取り出し可能に構成されたフレーム部を備えるとともに、
複数の空の苗箱Ｎが載置されたときに、該複数の空の苗箱Ｎのうち上側のものが前記フレーム部の前側から落下するのを防止するための苗箱落下防止手段を備えており、
前記苗箱落下防止手段は、略前後方向に延び、前記フレーム部に対して軸廻りに回動可能に支持されている回動軸と、
該回動軸の後端部に設けられている操作レバーと、
該回動軸の前端部に設けられ、該回動軸の径方向に延設されている落下防止部材と、
前記落下防止部材の回動位置を切替可能に構成された位置切替手段とを備え、
前記位置切替手段は、前記落下防止部材が前記フレーム部の前側を遮る落下防止位置と、該フレーム部の前側を遮らない退避位置との少なくとも２位置の間で切り替える操作が可能に構成されているとともに、前記操作レバー又は前記落下防止部材のどちらを用いても前記操作が可能に構成されている態様に、本発明の苗移植機の予備苗台をすること。
この態様によっても、前記実施形態の態様と同様の効果が得られる。
【符号の説明】
【００３２】
１    予備苗台
２    苗箱落下防止手段
３    係止手段
３ａ  回転ロール
３ｂ  係止片
３ｃ  アーム片
４    フレーム部
５    下フレーム
５ａ  横フレーム片
５ｂ  ガイドフレーム片
６    側フレーム
６ａ  縦フレーム片
１０    苗移植機
１１    前輪
１２    後輪
１３    機体
１４    苗移植装置
１５    操縦装置
１６    運転席
１７    軸受部
１８    支柱
１９    予備苗台支持フレーム
２１    回動軸
２２    操作レバー
２３    落下防止部材
２４    支持片
２５    位置切替手段
２６    スライド支持手段
２７    係合ピン
２８    被係合穴
２９    付勢手段
Ｃ    苗箱カゴ
Ｃａ  開口枠
Ｃｂ  仕切枠
Ｆ    予備苗台の前側
Ｎ    苗箱
Ｎａ  育苗ポット
Ｐ１  落下防止位置
Ｐ２  退避位置
【図１】
2016144423.tif 000003
【図２】
2016144423.tif 000004
【図３】
2016144423.tif 000005
【図４】
2016144423.tif 000006
【図５】
2016144423.tif 000007
【図６】
2016144423.tif 000008
【図７】
2016144423.tif 000009
【図８】
2016144423.tif 000010
【図９】
2016144423.tif 000011